(57)【要約】      （修正有）【課題】制御装置箱のコスト低減と共に、取付及び取外作業の安全性を高めて作業効率の向上を図る制御装置箱の底カバー取付構造を提供する。【解決手段】制御装置箱の底板の点検口を下方より覆う矩形板状の本体１１、本体１１の一組の対辺側の端部１１ａの夫々に、間隔を存して配置されて、一組の対辺の対向方向と反対方向に突出する、ボルト挿入穴が開設された複数の取付片４、及び隣り合う２つの取付片４間に配置され、取付片４と同方向に本体１１から突出する複数の爪片５を備える底カバー１と、一組の対辺側の部分２１の夫々に、間隔を存してボルト穴が開設されると共に、隣り合う２つのボルト穴間に配置されて、一組の対辺の長手方向の一端とこの一端に直交し、一組の対辺の対向方向と反対方向の一端とが開放された中空箱形の複数の脱落防止ブロック３が設けられた、点検口の周縁部に取り付けられる底カバー取付枠２とを備える。【選択図】図４
0003221279.tif 000002
【実用新案登録請求の範囲】
【請求項１】
鉄道車両の床下に吊設される制御装置箱の底板に開設された矩形の点検口をその下方から覆う底カバーを底板に取り付ける制御装置箱の底カバー取付構造であって、底板の点検口周縁部に取り付けられる矩形の底カバー取付枠と、この底カバー取付枠に着脱自在に取り付けられる、点検口を覆う底カバーとを備えたものにおいて、
底カバー取付枠には、一組の対辺側の部分の夫々に、複数のボルト穴が間隔を存して開設されると共に、隣り合う２つのボルト穴間に配置されて、一組の対辺の長手方向の一端とこの一端に直交し、一組の対辺の対向方向と反対方向の一端とが開放された中空箱形の複数の脱落防止ブロックが設けられ、
底カバーは、点検口を覆う矩形板状の本体と、この本体の一組の対辺側の端部の夫々に、間隔を存して配置されて、一組の対辺の対向方向と反対方向に突出する、ボルト挿入穴が開設された複数の取付片と、隣り合う２つの取付片間に配置され、取付片と同方向に本体から突出する複数の爪片とを備え、
点検口の閉時に、底カバーの各爪片が、底カバー取付枠の各脱落防止ブロックの内部下面上に載置されて、底カバーが、締結されていない状態で底カバー取付枠に保持されると共に、底カバーの取付片の各ボルト挿入穴と底カバー取付枠の各ボルト穴とが一致することを特徴とする制御装置箱の底カバー取付構造。
【考案の詳細な説明】
【技術分野】
【０００１】
本考案は、鉄道車両の床下に吊設される制御装置箱の底板に開設された矩形の点検口をその下方から覆う底カバーを底板に取り付ける制御装置箱の底カバー取付構造に関する。
【背景技術】
【０００２】
制御装置箱は、鉄道車両の運転制御に用いられる、例えば、半導体素子、トランス、コンデンサ、抵抗等の電子部品を収納して鉄道車両の床下に吊設される。点検時には、制御装置箱の底板に開設した矩形の点検口を開け、この点検口を通じて内部に作業者がアクセスできるように、点検口は着脱自在とした底カバーによって覆われる。
【０００３】
従来、この種の制御装置箱として、底板の点検口周縁部に取り付けられる矩形の底カバー取付枠と、この底カバー取付枠に着脱自在に取り付けられる、点検口を覆う底カバーとを備えたものが知られている（例えば、特許文献１参照）。
【０００４】
このものでは、底カバー取付枠の一組の対辺側の端部一方にヒンジが設けられ、このヒンジを介して底カバー取付枠が制御装置箱の底板に揺動自在に取り付けられる。また、底カバー取付枠の上記一組の対辺側の端部他方に舌片が設けられ、この舌片を介して底カバー取付枠が制御装置箱の底板に締結される。
【０００５】
然しながら、底カバー及び底カバー取付枠の合計重量は比較的重く、これを揺動自在に軸支するヒンジに加わる負荷が大きいことから、ヒンジには比較的強度の高いものや大型のもの等が用いられる。また、点検口を開ける際に底カバー取付枠が急に下方に回動しないようにダンパーが設けられる。このため、制御装置箱が高コストなものになっているのが現状である。そこで、ヒンジを設けずに底カバー取付枠をボルトのみによって着脱自在に取り付けることが考えられるが、この場合、点検時に点検口を開放するためにボルトを外していくと、底カバー取付枠がその自重により突然脱落する危険があるので、取外作業を慎重に行う必要がある。これは、点検後等の取付時にも共通する問題である。
【先行技術文献】
【特許文献】
【０００６】
【特許文献１】特開２０１７−１０５３１６号公報
【考案の概要】
【考案が解決しようとする課題】
【０００７】
本考案は、以上の点に鑑み、制御装置箱のコスト低減と共に、取付及び取外作業の安全性を高めて作業効率の向上を図ることができる制御装置箱の底カバー取付構造を提供することをその課題としている。
【課題を解決するための手段】
【０００８】
上記課題を解決するために、本考案は、鉄道車両の床下に吊設される制御装置箱の底板に開設された矩形の点検口をその下方から覆う底カバーを底板に取り付ける制御装置箱の底カバー取付構造であって、底板の点検口周縁部に取り付けられる矩形の底カバー取付枠と、この底カバー取付枠に着脱自在に取り付けられる、点検口を覆う底カバーとを備えたものにおいて、底カバー取付枠には、一組の対辺側の部分の夫々に、複数のボルト穴が間隔を存して開設されると共に、隣り合う２つのボルト穴間に配置されて、一組の対辺の長手方向の一端とこの一端に直交し、一組の対辺の対向方向と反対方向の一端とが開放された中空箱形の複数の脱落防止ブロックが設けられ、底カバーは、点検口を覆う矩形板状の本体と、この本体の一組の対辺側の端部の夫々に、間隔を存して配置されて、一組の対辺の対向方向と反対方向に突出する、ボルト挿入穴が開設された複数の取付片と、隣り合う２つの取付片間に配置され、取付片と同方向に本体から突出する複数の爪片とを備え、点検口の閉時に、底カバーの各爪片が、底カバー取付枠の各脱落防止ブロックの内部下面上に載置されて、底カバーが、締結されていない状態で底カバー取付枠に保持されると共に、底カバーの取付片の各ボルト挿入穴と底カバー取付枠の各ボルト穴とが一致することを特徴とする。
【０００９】
本考案によれば、制御装置箱の点検口の閉時に、底カバーが備える複数の爪片の各一つが、底カバー取付枠に設けられた、一組の対辺の長手方向の一端とこの一端に直交し、一組の対辺の対向方向と反対方向の一端とが開放された中空箱形の複数の脱落防止ブロックの各一つの内部の下面上に載置されて、底カバーが、締結されていない状態で底カバー取付枠に保持されるため、点検口を開放する際に、底カバー取付枠への底カバーの締結を解除しても底カバーは脱落することがない。また、制御装置箱の点検口の閉時には、底カバーの取付片の各ボルト挿入穴と底カバー取付枠の各ボルト穴とが一致するため、ボルト挿入穴を通じてボルト穴にボルトを螺入でき、底カバーを底カバー取付枠に締結できる。従って、底カバーの底カバー取付枠からの脱落の危険がなく、底カバーを補助的に支持しなくとも底カバーを底カバー取付枠に安全に取り付け、取り外すことができる。従って、底カバーの取付及び取外作業の安全性が高められ、作業効率の向上が図られる。また、点検口の開閉は、上記の如くの底カバー取付枠と底カバーとのみによって実現されるため、制御装置箱のコスト低減が図られる。
【図面の簡単な説明】
【００１０】
【図１】本考案の制御装置箱の底カバー取付構造の一実施形態を制御装置箱と共に示す側面図。
【図２】（ａ）は、図１に示す制御装置箱の底カバー取付構造の底カバー取付枠を示す下面図。（ｂ）は、（ａ）に示す脱落防止ブロックの斜視図。
【図３】図１に示す底カバーの下面図。
【図４】図２（ａ）（ｂ）に示す底カバー取付枠への図３に示す底カバーの取付状態を示す下面図。
【考案を実施するための形態】
【００１１】
図１を参照して、本考案の制御装置箱の底カバー取付構造の一実施形態を説明する。尚、以下の説明における上下左右とは図１での図示に従うものであり、図２（ａ）、図３及び図４では図面の表が下に相当し、裏が上に相当する。
【００１２】
制御装置箱Ａは、鉄道車両の制御装置であるＶＶＶＦ装置Ｂ用のものであり、図外の鉄道車両の床下に吊設される。制御装置箱Ａの上端部の複数箇所には、制御装置箱Ａの上面上方に突出する断面Ｕ字形の吊下具Ｃが固定され、吊下具Ｃの上面部を介して制御装置箱Ａは鉄道車両の床下に締結される。このような制御装置箱Ａの底板Ｄには、幅方向（即ち、図１の表裏方向）の中央部に矩形の点検口（図示省略）が２つ、左右方向に間隔を存して開設されている。この点検口の開閉は底板Ｄとは別体とした底カバー１により行われる。底カバー１は、上記点検口をその下方から覆うように底板Ｄに取り付けられて上記点検口を閉鎖できる。また、底カバー１は着脱自在であり、底板Ｄから取り外されると、上記点検口が開放されて、上記点検口を通じて制御装置箱Ａの内部に作業者がアクセスでき、ＶＶＶＦ装置Ｂのメンテナンス等を行うことができる。
【００１３】
図２（ａ）（ｂ）を参照して、図１に示す制御装置箱Ａの底板Ｄに開設された上記点検口の周縁部に、固着具、溶接等によって取り付けられる底カバー取付枠２は、矩形形状を有している。底カバー取付枠２には、一組の対辺側の部分２１の夫々に、左右及び中央の３箇所に１つずつ、計３つのボルト穴２２が間隔を存して開設されている。左右に位置するボルト穴２２，２２は、中央のボルト穴２２に関して対称な位置に配置されている。また、底板カバー取付枠２の各部分２１には、隣り合う２つのボルト穴２２間に１つずつ配置されて、一組の対辺の長手方向の一端（即ち、左端）３１と一端３１に直交し、一組の対辺の対向方向の一端３２とが開放された中空箱形の脱落防止ブロック３が計２つ設けられている。各脱落防止ブロック３は底カバー取付枠２で左右対称な位置に配置されている。また、各脱落防止ブロック３では、一組の対辺の長手方向の他端（右端）３３と、一組の対辺の対向方向と反対方向の他端３４とが閉鎖している。
【００１４】
図３を参照して、底カバー１は、図１に示す制御装置箱Ａの上記点検口を覆う矩形板状の本体１１と、本体１１の一組の対辺側の端部１１ａの夫々に、左右及び中央の３箇所に１つずつ、間隔を存して配置された計３つの取付片４と、隣り合う２つの取付片４間に１つずつ配置された計２つの爪片５とを備えている。取付片４は、本体１１の一組の対辺の対向方向と反対方向に突出しており、爪片５も取付片４と同方向に本体１１から突出している。また、取付片４の本体１１の外方端部にボルト挿入穴４１が開設されている。そして、各取付片４は、ボルト挿入穴４１が、図２（ａ）（ｂ）に示す底カバー取付枠２のボルト穴２２と一致するような位置で、本体１１の各端部１１ａに締結又は溶着され、また、爪片５は、底カバー取付枠２の脱落防止ブロック３に対応する位置で、本体１１の各端部１１ａに締結又は溶着されている。
【００１５】
更に、底カバー１には、断面Ｕ字形の取っ手６が、本体１１の内方の左右両端部に１つずつ設けられている。取っ手６は、本体１１で左右対称な位置に配置され、また、本体１１の下方に突出し、図１に示すＶＶＶＦ装置Ｂのメンテナンス等を行う作業者が握りやすくなっている。
【００１６】
図４を参照して、図１に示す制御装置箱Ａの上記点検口を閉鎖する際には、底板Ｄの上記点検口の周縁部に取り付けられた底カバー取付枠２に、上記点検口を下方から覆うようにして底カバー１を取り付ける。具体的には、作業者が取っ手６を手で握って底カバー１を持ち上げ、底カバー取付枠２の左方から底カバー１を底カバー取付枠２の下面に重合させる。この時、底カバー１の各爪片５が、底カバー取付枠２の部分２１の下面と各脱落防止ブロック３の内部の下面３５との間の空間に入り込むと共に、各爪片５の右端が各脱落防止ブロック３の内部の右端３３の内面に当接する。そして、底カバー１を引き下げると、各爪片５が各脱落防止ブロック３の下面３５上に載置され、底カバー１の底カバー取付枠２への締結位置が決まる。この状態では底カバー１は底カバー取付枠２に取り付けられていないが、各爪片５の各脱落防止ブロック３の下面３５上への載置によって、底カバー１は底カバー取付枠２に安定して保持される。作業者が取っ手６から手を放しても、底カバー１が脱落することはない。
【００１７】
また、底カバー１が底カバー取付枠２に上記の如く保持される時、締結位置が決まるため、底カバー１の取付片４の各ボルト挿入穴４１と底カバー取付枠２のボルト穴２２とが一致する。作業者は、ボルト７をボルト挿入穴４１を通じてボルト穴２２に螺入でき、底カバー１は底カバー取付枠２に締結される。そして、図１に示す制御装置箱Ａの上記点検口が底カバー１によって閉鎖される。
【００１８】
ＶＶＶＦ装置Ｂのメンテナンス時に上記点検口を開放する際には、底カバー１を上記取付時と逆の手順で底カバー取付枠２から取り外すことができる。全てのボルト７が取り外されても、各爪片５が各脱落防止ブロック３の内部の下面３５上に載置されているので、底カバー１は、締結されていない状態で底カバー取付枠２に安定して保持される。
【００１９】
このように、本実施形態の制御装置箱の底カバー取付構造では、図１に示す制御装置箱Ａの上記点検口の閉時に、底カバー１が備える複数の爪片５の各一つが、底カバー取付枠２に設けられた、一組の対辺方向の一端３１と一端３１に直交し、一組の対辺の対向方向と反対方向の一端３２とが開放された中空箱形の複数の脱落防止ブロック３の各一つの内部の下面３５上に載置されて、底カバー１が、締結されていない状態で底カバー取付枠２に保持されるため、上記点検口を開放する際に、底カバー取付枠２への底カバー１の締結を解除しても底カバー１は脱落することがない。また、制御装置箱Ａの上記点検口の閉時には、底カバー１の取付片４の各ボルト挿入穴４１と底カバー取付枠２の各ボルト穴２２とが一致するため、ボルト挿入穴４１を通じてボルト穴２２にボルト７を螺入でき、底カバー１を底カバー取付枠２に締結できる。従って、底カバー１の底カバー取付枠２からの脱落の危険がなく、底カバー１を補助的に支持しなくとも底カバー１を底カバー取付枠２に安全に取り付け、取り外すことができる。従って、底カバー１の取付及び取外作業の安全性が高められ、作業効率の向上が図られる。また、上記点検口の開閉は、上記の如くの底カバー取付枠２と底カバー１とのみによって実現されるため、制御装置箱Ａのコスト低減が図られる。
【００２０】
更に、底カバー１の取付時に、作業者は、取っ手６に手をかけて底カバー取付枠２に対する底カバー１の配置位置を調節できるため、底カバー１の取付作業が容易ともなる。
【００２１】
以上、本考案の一実施形態について図面を参照して説明したが、本考案は上記実施形態に限定されない。制御装置箱の構成及び構造や制御装置の種類をはじめ、底カバー及び底カバー取付枠の大きさや構造、また、取付片、爪片、ボルト挿入穴、ボルト穴、及び脱落防止ブロックの個数等の細部については様々な態様が可能である。また、脱落防止ブロックの一組の対辺方向の一端は、上記実施形態では左端としているが、右端であってもよい。この場合、底カバーを底カバー取付枠に取り付ける際には、底カバーを底カバー取付枠の右方から底カバー取付枠の下面に重合させる。
【符号の説明】
【００２２】
１…底カバー、１１…本体、１１ａ…一組の対辺側の端部、２…底カバー取付枠、２１…一組の対辺側の部分、２２…ボルト穴、３…脱落防止ブロック、３１…底カバー取付枠２の一組の対辺方向の脱落防止ブロック３の一端、３２…一端３１に直交する、底カバー取付枠２の一組の対辺方向で且つ底カバー取付枠２の内方側に位置する一端、３５…脱落防止ブロック３の内部下面、４…取付片、４１…ボルト挿入穴、５…爪片、Ａ…制御装置箱、Ｄ…底板。
【図１】
0003221279.tif 000003
【図２】
0003221279.tif 000004
【図３】
0003221279.tif 000005
【図４】
0003221279.tif 000006